(57)【特許請求の範囲】
【請求項１】
コンタクトレンズを識別する識別コードと当該コンタクトレンズの規格を示すパラメータとをコード化したシンボルを読取る読取手段と、
この読取手段で読取られた前記シンボルを解析して前記識別コードと前記パラメータとを取得する解析手段と、
各コンタクトレンズの識別コードにそれぞれ関連付けて当該コンタクトレンズの前記パラメータが設定されたパラメータファイルから、前記解析手段により得られた識別コードに関連付けられて設定されているパラメータを読出し、前記解析手段により得られたパラメータが前記パラメータファイルから読み出したパラメータと一致するか照合する照合手段と、
この照合手段によりパラメータが一致したならばそのパラメータを報知する報知手段と、
を具備したことを特徴とする商品情報処理装置。
【請求項２】
前記報知手段は、前記解析手段により得られたパラメータまたは前記パラメータファイルから読み出したパラメータを表示部に表示させて報知することを特徴とする請求項１記載の商品情報処理装置。
【請求項３】
前記報知手段は、前記解析手段により得られたパラメータまたは前記パラメータファイルから読み出したパラメータを、前記解析手段により得られた識別コードで識別される前記コンタクトレンズの品名とともに表示部に表示させて報知することを特徴とする請求項１記載の商品情報処理装置。
【請求項４】
前記報知手段は、前記表示部における画面表示行の１ライン目に前記コンタクトレンズの品名を表示させ、２ライン目以降に前記パラメータを表示させることを特徴とする請求項３記載の商品情報処理装置。
【請求項５】
コンタクトレンズ装着方向の宣言を受け付ける宣言受付手段、をさらに具備し、
前記照合手段は、前記パラメータに含まれる装着方向のデータが前記宣言受付手段により受け付けた宣言の方向と一致することを条件に照合を行うことを特徴とする請求項１乃至４のうちいずれか１に記載の商品情報処理装置。
【請求項６】
コンピュータに、
コンタクトレンズを識別する識別コードと当該コンタクトレンズの規格を示すパラメータとをバーコード化したシンボルを読取る読取機能、
この読取機能によって読取られた前記シンボルを解析して前記識別コードと前記パラメータとを取得する解析機能、
各コンタクトレンズの識別コードに関連付けて当該コンタクトレンズの前記パラメータが設定されたパラメータファイルから、前記解析機能によって得られた識別コードに関連付けられて設定されているパラメータを読出し、前記解析機能によって得られたパラメータが前記パラメータファイルから読み出したパラメータと一致するか照合させる照合機能、及び、
この照合機能によりパラメータが一致したならばそのパラメータを報知させる報知機能、
を実現させるための商品情報処理プログラム。
【発明の詳細な説明】
【技術分野】
【０００１】
本発明の実施形態は、コンタクトレンズ製品を販売する店で使用される商品情報処理装置、及びコンピュータを当該商品情報処理装置として機能させるためのプログラムに関する。
【背景技術】
【０００２】
コンタクトレンズには、湾曲を表わすＢＣ（ベースカーブ）、直径を示すＳＩＺＥ、球面の度数を示すＰＯＷＥＲ等の様々な規格があり、各規格の値（パラメータ）は、コンタクトレンズ製品のパッケージに印刷されている。一方、コンタクトレンズは高度管理医療機器であり、使用者は、眼科医の検査・処方を受けて購入する必要がある。そこで、コンタクトレンズ製品を販売する店の店員は、処方箋（又はカルテ）の内容と、コンタクトレンズ製品のパッケージに印刷されたパラメータとを見比べて、客に適合したコンタクトレンズ製品を選択し販売する。このため店員は、間違った規格のコンタクトレンズ製品を客に販売しないように細心の注意を払わなければならず、負担となっている。
【先行技術文献】
【特許文献】
【０００３】
【特許文献１】特開２００８−２０６２５２号公報
【発明の概要】
【発明が解決しようとする課題】
【０００４】
本発明が解決しようとする課題は、コンタクトレンズ製品を販売する際の店員の負担軽減を図ることにある。
【課題を解決するための手段】
【０００５】
一実施形態において、商品情報処理装置は、読取手段と、解析手段と、照合手段と、報知手段とを備える。読取手段は、コンタクトレンズを識別する識別コードと当該コンタクトレンズの規格を示すパラメータとをコード化したシンボルを読取る。解析手段は、読取手段で読取られたシンボルを解析して識別コードとパラメータとを取得する。照合手段は、各コンタクトレンズの識別コードにそれぞれ関連付けて当該コンタクトレンズのパラメータが設定されたパラメータファイルから、解析手段により得られた識別コードに関連付けられて設定されているパラメータを読出し、解析手段により得られたパラメータがパラメータファイルから読み出したパラメータと一致するか照合する。報知手段は、照合手段によりパラメータが一致したならばそのパラメータを報知する。
【図面の簡単な説明】
【０００６】
【図１】一実施形態であるコンタクトレンズ販売システムの概略図。
【図２】コンタクトレンズ製品に印刷される二次元バーコードの説明図。
【図３】商品マスタに蓄積されるデータレコードのフォーマット図。
【図４】パラメータマスタに蓄積されるデータレコードのフォーマット図。
【図５】ＰＯＳ端末の要部構成を示すブロック図。
【図６】ＰＯＳ端末が備える前宣言キーの一例を示す図。
【図７】ＰＯＳ端末の記憶部に形成される表示制御テーブルのデータの一例を示す模式図。
【図８】図７に示すデータに対応した登録画面を示す模式図。
【図９】ＰＯＳ端末のＣＰＵが商品情報処理プログラムに従って実行する制御手順を示す流れ図。
【図１０】ＰＯＳ端末の記憶部に形成される表示制御テーブルのデータの他の例を示す模式図。
【図１１】図１０に示すデータに対応した登録画面を示す模式図。
【発明を実施するための形態】
【０００７】
以下、コンタクトレンズ製品を販売する店で使用される商品情報処理装置の実施形態について、図面を用いて説明する。この実施形態は、コンタクトレンズ製品を販売する店のＰＯＳ端末１０に、前記商品情報処理装置としての機能を実現したものである。
【０００８】
図１は、本実施形態の商品情報処理装置、つまりはＰＯＳ端末１０を含むコンタクトレンズ販売システム１の概略図である。本システム１は、１台以上のＰＯＳ端末１０と、コンタクトレンズ販売管理用のサーバ２０とを備える。ＰＯＳ端末１０は、コンタクトレンズ製品を販売する店のレジ等に設置される。サーバ２０は、店の本部等に設置される。ＰＯＳ端末１０とサーバ２０とは、専用のネットワーク３０で相互通信自在に接続される。
【０００９】
ＰＯＳ端末１０には、二次元バーコードの読み取りが可能なコードリーダ４０が接続される。図２に示すように、コンタクトレンズが収容されたコンタクトレンズ製品（以下、ＣＬ製品と略称する）のパッケージ５０には、二次元バーコード５１が印刷されている。二次元バーコード５１は、ＣＬ製品を識別する識別コードとしての商品ＩＤと、製造番号と、当該ＣＬ製品として販売されるコンタクトレンズの規格を示す種々のパラメータ（以下、ＣＬパラメータと略称する）とをコード化したシンボルである。ＣＬパラメータには、ＢＣ（ベースカーブ）、ＳＩＺＥ（直径）、ＰＯＷＥＲ（球面度数）、ＳＹＬ（乱視度数）、乱視軸（ＡＸＩＳ）、加入度数（ＡＤＤ）等の項目があり、また、右眼用なのか左眼用なのかを示す装着方向（ＲＬ）のデータ項目もＣＬパラメータに含まれる。
【００１０】
サーバ２０は、管理対象のデータベースとして、商品マスタ２１とパラメータマスタ２２とを備える。商品マスタ２１には、図３のレコードファーマット例に示されるように、各ＣＬ製品の商品ＩＤに関連付けて、その商品ＩＤで識別されるＣＬ製品の製造番号、商品名、価格等の商品データが登録される。パラメータマスタ２２には、図４のレコードファーマット例に示されるように、各ＣＬ製品の商品ＩＤに関連付けて、その商品ＩＤで識別されるＣＬ製品の製造番号と、当該ＣＬ製品として販売されるコンタクトレンズの規格であるＣＬパラメータ（ＢＣ，ＳＩＺＥ，ＰＯＷＥＲ，ＣＹＬ，ＡＸＩＳ，ＡＤＤ，ＲＬ等）とが登録される。
【００１１】
因みに、サーバ２０には、インターネット等の汎用ネットワーク６０を介してＣＬ製品製造メーカのサーバ（不図示）が接続されており、サーバ２０とメーカ側サーバとの協働により、商品マスタ２１とパラメータマスタ２２の登録データは、常に最新の状態に維持されている。
【００１２】
図５は、ＰＯＳ端末１０の要部構成を示すブロック図である。ＰＯＳ端末１０は、制御部本体としてＣＰＵ（Central Processing Unit）１１を搭載する。そしてこのＣＰＵ１１に、アドレスバス，データバス等のバスライン１１２を介して、主記憶部としてのＲＯＭ（Read Only Memory）１２及びＲＡＭ（Random Access Memory）１３と、補助記憶部としてのＨＤＤ（Hard Disk Drive）装置１４と、現在日時を計時する時計部１５と、通信インターフェース１６、キーボードコントローラ１７、タッチパネルコントローラ１８、表示コントローラ１９、プリンタコントローラ１１０、リーダインターフェース１１１等の入出力部とを接続して、ＰＯＳ端末１０の制御部が構成される。
【００１３】
通信インターフェース１６は、専用ネットワーク３０を通じて接続されるサーバ２０との間のデータ通信を司る。キーボードコントローラ１７は、商品の販売登録に必要な種々のキーが配設されたキーボード１１３を制御する。タッチパネルコントローラ１８は、オペレータ用ディスプレイとして機能するタッチパネル１１４を制御する。表示コントローラ１９は、客用ディスプレイ１１５の画面表示を制御する。プリンタコントローラ１１０は、レシート印字を行うためのプリンタ１１６を制御する。リーダインターフェース１１１は、前記コードリーダ４０との間のデータ通信を司る。
【００１４】
なお、キーボード１１３に配置される各種キーの機能を全てタッチパネル１１４が備えることによって、キーボード１１３及びキーボードコントローラ１７を省略することは可能である。また、操作入力は全てキーボード１１３から行うものとして、タッチパネル１１４の代わりに液晶ディスプレイなどの表示器をオペレータ用ディスプレイとしてもよい。
【００１５】
かかる構成のＰＯＳ端末１０は、図６に示すように、左眼キー７１、右眼キー７２及び両眼キー７３を含む前宣言キー７０を、キーボード１１３に配置する。若しくは、前宣言キー７０をタッチパネル１１４から操作入力できるように、ＰＯＳ端末１０は、タッチパネル１１４の画面を編集する。左眼キー７１は、左眼用のＣＬ製品を販売する際に操作される。右眼キー７２は、右眼用のＣＬ製品を販売する際に操作される。両眼キー７３は、左眼及び右眼のどちらにも対応したＣＬ製品を販売する際に操作される。
【００１６】
またＰＯＳ端末１０は、ＨＤＤ装置１４にパラメータファイルＰＦと表示制御テーブルＤＴとを形成する。パラメータファイルＰＦは、サーバ２０からダウンロードされるＣＬパラメータのデータを一時的に保存するための領域である。
【００１７】
表示制御テーブルＤＴは、図７に示すように、ＣＬパラメータの項目別に、表示記号と、表示制御データと、パラメータの実データとを記憶する。表示記号は、対応するＣＬパラメータ項目のデータをタッチパネル１１４に表示させる際に、そのデータの前に表示させる記号である。表示制御データは、対応するＣＬパラメータ項目のデータをタッチパネル１１４に表示させる際に、表示エリアのどこに表示させるかを示すデータである。
【００１８】
例えば表示制御データが「２−１」のときには、２行目の１列目に表示させることを示し、表示制御データが「２−２」のときには、２行目の２列目に表示させることを示す。表示制御データが「０」のときには、対応するＣＬパラメータ項目のデータを表示しない。
【００１９】
これらの表示記号及び表示制御データは、ＰＯＳ端末１０の設定モードにおいて、ユーザが所望するデータを設定することができる。一方、パラメータデータの領域は、初期状態のときにクリアされている。
【００２０】
しかしてＰＯＳ端末１０は、ＲＡＭ１３に商品情報処理プログラムを実装する。商品情報処理プログラムは、タッチパネル１１４に表示されるメニュー画面からＣＬ製品の販売業務が選択されると起動する。商品情報処理プログラムが起動すると、ＣＰＵ１１は、図９の流れ図に示す手順にしたがって各部を制御する。
【００２１】
先ずＣＰＵ１１は、コンタクトレンズを購入しようとする客が眼科医の検査・処方を受けて得た処方箋に記述されているカルテデータの入力を受け付ける（ＳＴ１）。例えばＣＰＵ１１は、タッチパネル１１４にカルテデータの入力画面を表示させ、角膜の曲率半径、角膜径、度数等の値が入力されるのを待機する。カルテデータが入力されると、ＣＰＵ１１は、そのカルテデータを、通信インターフェース１６を介してサーバ２０に送信する（ＳＴ２）。
【００２２】
サーバ２０は、受信したカルテデータを解析してＣＬパラメータを得る。例えば、角膜の曲率半径からパラメータＢＣを得、角膜径からパラメータＳＩＺＥを得、度数からパラメータＰＯＷＥＲを得る。そしてサーバ２０は、パラメータマスタ２２に登録されているＣＬパラメータのデータレコードのなかから、カルテデータを解析して得たＣＬパラメータが適合するＣＬパラメータが設定されたデータレコードを全て抽出する。パラメータマスタ２２から抽出されたＣＬパラメータのデータレコードは、当該カルテデータの客に対して販売対象となるＣＬ製品のものである。各ＣＬパラメータのデータレコードは、専用ネットワーク３０を介してカルテデータ送信元のＰＯＳ端末１０に送信される。
【００２３】
ステップＳＴ２にて、カルテデータを送信したＣＰＵ１１は、販売対象となるＣＬ製品のＣＬパラメータデータレコードを受信するのを待機する。ＣＬパラメータデータレコードを受信すると（ＳＴ３にてＹＥＳ）、ＣＰＵ１１は、この受信したＣＬパラメータデータレコードをパラメータファイルＰＦに保存する（ＳＴ４）。
【００２４】
次に、ＣＰＵ１１は、前宣言キー７０が操作入力されるのを待機する（ＳＴ５：宣言受付手段）。左眼キー７１、右眼キー７２及び両眼キー７３のうちいずれか１つが操作入力されると（ＳＴ５にてＹＥＳ）、その入力キーに対応した前宣言データをＲＡＭ１３に格納する（ＳＴ６）。例えば、左眼キー７１が操作入力された場合には前宣言データとして“Ｌ”を格納し、右眼キー７２が操作入力された場合には前宣言データとして“Ｒ”を格納し、両眼キー７３が操作入力された場合には前宣言データとして“Ｒ／Ｌ”を格納する。
【００２５】
次に、ＣＰＵ１１は、コードリーダ４０によって二次元バーコードが読取られるのを待機する（ＳＴ７）。二次元バーコードが読取られると（ＳＴ７にてＹＥＳ）、ＣＰＵ１１は、その二次元バーコードを解析して、当該二次元バーコードがＣＬ製品のパッケージ５０に印刷されているコンタクトレンズ用の二次元バーコード５１であるか否かを確認する（ＳＴ８：読取手段）。コンタクトレンズ用二次元バーコード５１でない場合（ＳＴ８にてＮＯ）、エラーとなる。
【００２６】
コンタクトレンズ用二次元バーコード５１である場合には（ＳＴ８にてＹＥＳ）、ＣＰＵ１１は、この二次元バーコード５１を解析して得たＣＬ製品の商品ＩＤとＣＬパラメータとをＲＡＭ１３に格納する（ＳＴ９：解析手段）。
【００２７】
次に、ＣＰＵ１１は、ステップＳＴ９の処理にてＲＡＭ１３に格納された商品ＩＤでパラメータファイルＰＦを検索する（ＳＴ１０）。そしてＣＰＵ１１は、検索対象の商品ＩＤがセットされたＣＬパラメータデータレコードがパラメータファイルＰＦに保存されているか否かを確認する（ＳＴ１１）。該当するＣＬパラメータデータレコードが保存されていない場合（ＳＴ１１にてＮＯ）、エラーとなる。
【００２８】
該当するＣＬパラメータデータレコードが保存されている場合には（ＳＴ１１にてＹＥＳ）、ＣＰＵ１１は、当該ＣＬパラメータデータレコードのＣＬパラメータ（ＢＣ，ＳＩＺＥ，ＰＯＷＥＲ，ＣＹＬ，ＡＸＩＳ，ＡＤＤ，ＲＬ等）をＲＡＭ１３に格納し、さらにこのＣＬパラメータの中から装着方向（ＲＬ）を示すデータを検出する（ＳＴ１２）。そしてこのデータが示す装着方向が、ステップＳＴ６の処理にてＲＡＭ１３に格納された前宣言データの方向と一致するか否かを確認する（ＳＴ１３）。すなわち、装着方向が右眼用である場合には、前宣言データが“Ｒ”か“Ｒ／Ｌ”のとき一致と判定され、左眼用の場合には、前宣言データが“Ｌ”か“Ｒ／Ｌ”のとき一致と判定される。装着方向が一致しないとき（ＳＴ１３にてＮＯ）、エラーとなる。
【００２９】
装着方向が一致すると（ＳＴ１３にてＹＥＳ）、ＣＰＵ１１は、ステップＳＴ９の処理にてＲＡＭ１３に格納されたＣＬパラメータと、ステップＳＴ１２の処理にてＲＡＭ１３に格納されたＣＬパラメータとを照合する（ＳＴ１４：照合手段）。そしてＣＰＵ１１は、両ＣＬパラメータが一致するか否かを確認する（ＳＴ１５）。少なくとも１つのパラメータ項目の値が一致しない場合（ＳＴ１５にてＮＯ）、エラーとなる。
【００３０】
両ＣＬパラメータの各パラメータ項目の値が一致する場合には（ＳＴ１５にてＹＥＳ）、ＣＰＵ１１は、ステップＳＴ９の処理にてＲＡＭ１３に格納された商品ＩＤで商品情報の問合せコマンドを作成する。そしてＣＰＵ１１は、この問合せコマンドを、通信インターフェース１６を介してサーバ２０に送信する（ＳＴ１７）。
【００３１】
問合せコマンドを受信したサーバ２０は、コマンド中の商品ＩＤで商品マスタ２１を検索して、当該商品ＩＤがセットされた商品データレコードを呼出す。そしてサーバ２０は、この商品データレコード中の商品データ（製造番号、商品名、価格等）を、専用ネットワーク３０を介して問合せコマンド送信元のＰＯＳ端末１０に送信する。
【００３２】
ステップＳＴ１６にて問合せコマンドを送信したＣＰＵ１１は、商品データの応答を待機する（ＳＴ１７）。そしてサーバ２０から商品データを受信すると（ＳＴ１７にてＹＥＳ）、ＣＰＵ１１は、この商品データ中の商品名及び価格と、ＣＬパラメータとを、タッチパネル１１４に表示出力する（ＳＴ１８：報知手段）。ＣＬパラメータは、ステップＳＴ９の処理またはステップＳＴ１２の処理にてＲＡＭ１３に格納されたＣＬパラメータの値である。しかる後、ＣＰＵ１１は、パラメータファイルＰＬのデータをクリアする（ＳＴ１９）。以上で、商品情報処理プログラムは終了する。
【００３３】
図８は、タッチパネル１１４に商品名及び価格とＣＬパラメータとを表示させるパターンの一例である。タッチパネル１１４には、商品名、単価、点数、金額、税区分及び装着方向の各欄からなる複数行の明細エリア８１と、合計エリア８２と、預かり金額エリア８３とを備えた登録画面８０が表示される。そして、明細エリア８１の商品名欄には、商品データ中の商品名とＣＬパラメータとが表示され、単価欄には商品データ中の価格が表示され、装着方向欄にはＣＬパラメータ中の装着方向を示すデータが表示される。因みに、図８の表示データ“両”は、左眼及び右眼のどちらにも対応したＣＬ製品であることを示している。
【００３４】
ここで、商品名は、商品名欄の上から１行目に表示される。一方、ＣＬパラメータは、表示制御テーブルＤＴの表示制御データにしたがって表示される。図８のパターン例は、図７に示した表示制御テーブルＤＴのデータに対応している。すなわち、表示制御データが「２−１」のパラメータ「ＢＣ」は、商品名欄の上から２行目の１列目に表示され、表示制御データが「２−２」のパラメータ「ＰＯＷＥＲ」は、同２行目の２列目に表示され、表示制御データが「２−３」のパラメータ「ＳＩＺＥ」は、同２行目の３列目に表示される。表示制御データが「０」のパラメータ「ＣＹＬ」、「ＡＸＩＳ」及び「ＡＤＤ」は、表示されない。
【００３５】
因みに、表示制御テーブルＤＴのデータを図１０に示すように変更した場合、タッチパネル１１４に表示される登録画面８０は、図１１に示すようになる。すなわち、表示制御データが「２−１」のパラメータ「ＢＣ」は、商品名欄の上から２行目の１列目に表示され、表示制御データが「２−２」のパラメータ「ＳＩＺＥ」は、同２行目の２列目に表示され、表示制御データが「２−３」のパラメータ「ＰＯＷＥＲ」は、同２行目の３列目に表示される。また、表示制御データが「３−１」のパラメータ「ＣＹＬ」は、商品名欄の上から３行目の１列目に表示され、表示制御データが「３−２」のパラメータ「ＡＸＩＬ」は、同３行目の２列目に表示される。表示制御データが「０」のパラメータ「ＡＤＤ」は、表示されない。
【００３６】
本実施形態のコンタクトレンズ販売システム１において、ＰＯＳ端末１０が設置されたＣＬ製品の販売店では、客がＣＬ製品の購入を申し出ると、店員は、先ず、この客のカルテデータをＰＯＳ端末１０に入力する。そうすると、この客に対して販売が可能なＣＬ製品のＣＬパラメータデータレコードがパラメータファイルＰＦに保存される。
【００３７】
次に店員は、客が右眼用のＣＬ製品を購入するのか左眼用のＣＬ製品を購入するのかを確認し、前宣言キー７０を操作して装着方向の前宣言を行う。すなわち店員は、右眼用の場合には右眼キー７２を、左眼用の場合には左眼キー７１を入力する。しかる後、店員は、例えば客のカルテデータを基に選択したＣＬ製品のパッケージ５０に印刷されている二次元バーコード５１をコードリーダ４０で読取る。そうすると、二次元バーコード５１が解析されて、この二次元バーコード５１に含まれる商品ＩＤとＣＬパラメータとが検出される。さらに、パラメータファイルＰＦが検索されて、二次元バーコード５１から検出された商品ＩＤがセットされたＣＬパラメータデータレコードが検出される。
【００３８】
ここで、二次元バーコード５１から検出された商品ＩＤがセットされたＣＬパラメータデータレコードがパラメータファイルＰＦに存在しない場合、エラーとなる。あるいは、パラメータファイルＰＦから検出されたＣＬパラメータデータレコードに含まれるＣＬパラメータの装着方向と、前宣言キー７０の操作入力により宣言された装着方向とが一致しない場合も、エラーとなる。したがって、客のカルテデータに適合しないＣＬ製品や、装着方向の異なるＣＬ製品を販売してしまうリスクを低減できる。
【００３９】
一方、装着方向が一致する場合には、二次元バーコード５１から検出されたＣＬパラメータと、パラメータファイルＰＦから検出されたＣＬパラメータデータレコードに含まれるＣＬパラメータとが照合される。そして、両パラメータが一致すると、タッチパネル１１４の登録画面８０に、当該ＣＬ製品の商品名とＣＬパラメータとが表示される。
【００４０】
したがって店員は、客に対して販売するＣＬ製品のパッケージ５０に印刷されているパラメータを視認しなくても、登録画面８０から当該パラメータを容易に確認できるので、店員の負担を軽減することができる。
【００４１】
なお、本発明は、前記実施形態に限定されるものではない。  
例えば前記実施形態では、ＣＬパラメータに装着方向のデータが含まれている場合を示したが、必ずしもＣＬパラメータに装着方向のデータが含まれていなくてもよい。その場合には、図９において、ステップＳＴ５，６、１２，１３の前宣言に係る処理が省略される。
【００４２】
また前記実施形態では、カルテデータを入力したが、必ずしもカルテデータを入力しなくてもよい。その場合には、図９において、ステップＳＴ１〜ＳＴ４の処理が省略される。また、ステップＳＴ１０の処理では、パラメータマスタ２２を検索する。
【００４３】
また、前記実施形態では、タッチパネル１１４の登録画面にＰＬパラメータを表示させることで報知したが、報知手段は表示手段に限定されるものではない。例えば、ＰＬパラメータを音声出力して、報知するものであってもよい。
【００４４】
また、前記実施形態では、ＣＬ製品のパッケージ５０に印刷されるシンボルを二次元バーコード５１としたが、シンボルは二次元バーコード５１に限定されるものではない。例えば、多段の一次元バーコードであってもよい。
【００４５】
さらに、前記実施形態では、ＰＯＳ端末１０に商品情報処理装置としての機能を持たせたが、商品情報処理装置の対象となる電子機器は、ＰＯＳ端末１０に限定されるものではない。例えばパーソナルコンピュータにコードリーダ４０を接続するとともに、商品情報処理プログラムをインストールすることによって、当該コンピュータを商品情報処理装置として機能させることも可能である。
【００４６】
なお、前記実施形態は、装置内部のプログラム記憶部であるＲＯＭ１３に発明の機能を実現させる商品情報処理プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００４７】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１…コンタクトレンズ販売システム、１０…ＰＯＳ端末（商品情報処理装置）、２０…サーバ、２１…商品マスタ、２２…パラメータマスタ、４０…コードリーダ。
【図１】
0005492933.tif 000002
【図２】
0005492933.tif 000003
【図３】
0005492933.tif 000004
【図４】
0005492933.tif 000005
【図５】
0005492933.tif 000006
【図６】
0005492933.tif 000007
【図７】
0005492933.tif 000008
【図８】
0005492933.tif 000009
【図９】
0005492933.tif 000010
【図１０】
0005492933.tif 000011
【図１１】
0005492933.tif 000012